(57)【要約】【課題】オゾンを生成させず安全にマイナス粒子を庫内空気に付加することができる冷凍冷蔵庫を実現することを目的とするものである。【解決手段】庫内空気を循環する通風手段５と、この通風手段５よりの庫内空気が通過するマイナス粒子発生装置６とを備え、前記マイナス粒子発生装置６は、光電子発生材１１と、これに紫外線を照射する光源１２とを有し、光電子発生材１１に紫外線を照射することで、光電効果が起こることにより光電子を発生させ、庫内空気中の分子や微粒子が、光電子を捕獲することによりマイナス粒子となり、再び庫内に放出される。したがって、オゾンを生成させず安全にマイナス粒子を庫内空気に付加することができる。【選択図】　図１
2004069171.tif 000002
【特許請求の範囲】
【請求項１】
庫内空気を循環する通風手段と、この通風手段よりの庫内空気が通過するマイナス粒子発生装置とを備え、前記マイナス粒子発生装置は、光電子発生材と、これに紫外線を照射する光源とを有する冷凍冷蔵庫。
【請求項２】
マイナス粒子発生装置は、庫内の冷気通風路内に設けた請求項１に記載の冷凍冷蔵庫。
【請求項３】
光電子発生材は、電気的に接地した請求項１または２に記載の冷凍冷蔵庫。
【請求項４】
光電子発生材の電気的接地回路に流れる電流の電流量を検出することにより発生するマイナス粒子量を検知する請求項１〜３のいずれか１項に記載の冷凍冷蔵庫。
【請求項５】
光電子発生材の電気的接地状態と絶縁状態が切り替え可能にして発生するマイナス粒子量を調整する請求項１〜４のいずれか１項に記載の冷凍冷蔵庫。
【請求項６】
通風手段とマイナス粒子発生装置の光電子発生材の間に、空気の導入部を設けた請求項１〜５のいずれか１項に記載の冷凍冷蔵庫。
【請求項７】
マイナス粒子発生装置の光電子発生材は、電気的に接地した導電性基材上に設けてなる請求項１〜６のいずれか１項に記載の冷凍冷蔵庫。
【請求項８】
導電性基材は、銅、アルミニウム、ステンレス、真鍮の中から選ばれた１種類以上からなる請求項７に記載の冷凍冷蔵庫。
【請求項９】
光電子発生材は、金、白金、銀、銅、ステンレス、窒化チタンの中から選ばれた１種類以上からなる請求項１〜８のいずれか１項に記載の冷凍冷蔵庫。
【発明の詳細な説明】
【０００１】
【発明の属する技術分野】
本発明は、庫内にマイナス粒子を付加する冷凍冷蔵庫に関するものである。
【０００２】
【従来の技術】
従来、マイナス粒子を付加する冷凍冷蔵庫としては、図１３に示されたマイナス粒子発生手法が採られていた。これは、昇圧回路により直流高電圧を発生させる高電圧発生部１０１を有するとともに、昇圧回路の正の出力端子１０２は接地し、負の出力端子１０３に接続された陰極はマイナスイオン発生部１０４としている。このマイナス粒子発生装置のマイナスイオン発生部１０４を冷蔵庫貯蔵室内または貯蔵室外の冷機通風路の少なくとも一方に設置し、庫内空気をマイナスイオン発生部１０４の陰極１０４に接触させることにより、気流に電子を付与してマイナスイオンを発生させ、貯蔵室内に供給するという構成としている。
【０００３】
【発明が解決しようとする課題】
しかしながら、前記従来の冷凍冷蔵庫のマイナス粒子を発生する手法では、高電圧をかけることによる放電方式を利用しているため、空気中の塵や埃が電極にたまることで、放電が起こりにくくなるという課題を有している。
【０００４】
また、高電圧の放電により庫内中の酸素分子が分解され、分解された酸素原子が空気中の酸素分子と結合し、人体にとって有害な物質であるオゾンを生成するという課題も有している。
【０００５】
本発明は、前記従来の課題を解決するもので、オゾンを生成させず安全にマイナス粒子を庫内空気に付加することができる冷凍冷蔵庫を実現することを目的とするものである。
【０００６】
【課題を解決するための手段】
前記目的を達成するために、本発明の冷凍冷蔵庫は、通風手段よりの庫内空気が通過するマイナス粒子発生装置を、光電子発生材と、これに紫外線を照射する光源とを有するものとした。
【０００７】
これにより、マイナス粒子発生装置内の光電子発生材に紫外線を照射することで、光電効果が起こることにより光電子が発生する。一方、庫内空気は通風手段によりマイナス粒子発生装置に入り、庫内空気中の分子や微粒子が、光電子を捕獲することによりマイナス粒子となり、再び庫内に放出される。したがって、オゾンを生成させず安全にマイナス粒子を庫内空気に付加することができる。
【０００８】
【発明の実施の形態】
請求項１に記載した発明は、庫内空気を循環する通風手段と、この通風手段よりの庫内空気が通過するマイナス粒子発生装置とを備え、前記マイナス粒子発生装置は、光電子発生材と、これに紫外線を照射する光源とを有する冷凍冷蔵庫とすることにより、マイナス粒子発生装置内の光電子発生材に紫外線を照射することで、光電効果が起こることにより光電子が発生する。
【０００９】
一方、庫内空気は通風手段によりマイナス粒子発生装置に入り、庫内空気中の分子や微粒子が、光電子を捕獲することによりマイナス粒子となり、再び庫内に放出される。したがって、オゾンを生成させず安全にマイナス粒子を庫内空気に付加することができる。
【００１０】
請求項２に記載した発明は、マイナス粒子発生装置は、庫内の冷気通風路内に設けた請求項１に記載の冷凍冷蔵庫とすることにより、冷気通風路を利用することにより、庫内を広く使用することができる。
【００１１】
請求項３に記載した発明は、光電子発生材は、電気的に接地した請求項１または２に記載の冷凍冷蔵庫とすることにより、接地した光電子発生材に紫外線を照射すると、光電効果により光電子を発生する。光電子が放出された光電子発生材は、光電子の放出箇所に正孔ができるが、光電子発生材を電気的に接地することにより、すぐに正孔には電子が補充されるため、放出された光電子が正孔に戻りにくいので、発生するマイナス粒子量を減少させることなく安定して空気中に放出し、庫内に放出することができる。
【００１２】
請求項４に記載した発明は、光電子発生材の電気的接地回路に流れる電流の電流量を検出することにより発生するマイナス粒子量を検知する請求項１〜３のいずれか１項に記載の冷凍冷蔵庫とすることにより、電気的接地回路の電流量検出で発生するマイナス粒子量を検知することができる。すなわち、光電子が放出された光電子発生材は、光電子の放出箇所に正孔ができるが、光電子発生材を電気的に接地することにより、すぐに正孔には電子が補充される。この時に光電子発生材の接地回路に流れる電流を検知することで、接地から正孔に補充される電子量が検知され、放出された光電子数がわかる。
【００１３】
請求項５に記載した発明は、光電子発生材の電気的接地状態と絶縁状態が切り替え可能にして発生するマイナス粒子量を調整する請求項１〜４のいずれか１項に記載の冷凍冷蔵庫とすることにより、光電子発生材の電気的接地状態と絶縁状態の切り替えによりマイナス粒子量が適宜調整できる。すなわち、光電子が放出された光電子発生材は、光電子の放出箇所に正孔ができるが、光電子発生材を電気的に接地することにより、すぐに正孔には電子が補充される。この時に光電子発生材を電気的に接地せず絶縁状態にすれば、光電子と正孔の間に電気的引力が働いて光電子は光電子発生材に吸着され、マイナス粒子の発生が抑制される。
【００１４】
また、光電子発生材を電気的接地状態にすれば、正孔にはすぐに電子が補充されるため、放出された光電子が正孔に戻ることがないので、マイナス粒子量を増加させることができる。
【００１５】
請求項６に記載した発明は、通風手段とマイナス粒子発生装置の光電子発生材の間に、空気の導入部を設けた請求項１〜５のいずれか１項に記載の冷凍冷蔵庫とすることにより、通風手段から通風する冷却された空気が空気の導入部により案内されて光電子発生材に供給されるため、マイナス粒子の発生を効果的に行わせることができる。
【００１６】
請求項７に記載した発明は、マイナス粒子発生装置の光電子発生材は、電気的に接地した導電性基材上に設けてなる請求項１〜６のいずれか１項に記載の冷凍冷蔵庫とすることにより、光電子発生材として例えば金等の貴金属を用いる場合、それを導電性基材上に設けることにより、たとえ貴金属層が薄層であっても機械的強度を有する部材となる。
【００１７】
請求項８に記載した発明は、導電性基材は、銅、アルミニウム、ステンレス、真鍮の中から選ばれた１種類以上からなる請求項７に記載の冷凍冷蔵庫とすることにより、導電性基材として満たすべき特性は、電気抵抗が小さいことが挙げられるが、これらは十分にその特性を満足しているものである。本特性は光電子発生材を電気的に接地して光電子発生材から光電子が抜け出た跡である正孔を速やかに電気的に中和するために必要である。
【００１８】
請求項９に記載した発明は、光電子発生材は、金、白金、銀、銅、ステンレス、窒化チタンの中から選ばれた１種類以上からなる請求項１〜８のいずれか１項に記載の冷凍冷蔵庫とすることにより、光電子発生材はそれが満たすべき特性を十分に備えている。すなわち、光電子発生材としては、（１）仕事関数が比較的小さいこと、（２）電気抵抗が小さいこと、（３）表面の経時劣化がないこと、が必要である。前記（１）での仕事関数とは、光電子が光電子発生材から真空中に飛び出すために必要なエネルギのことで、その値が小さいほど光電子は発生し易い。（２）の特性は、光電子発生材を電気的に接地して光電子発生材から光電子が抜け出た跡である正孔を速やかに電気的に中和するために必要である。また（３）は、表面が酸化する等して劣化を起こすと通常はより仕事関数が大きくなってしまい光電子が発生しにくくなることによる。これら３点の要求を満たしかつコストが比較的安価な材料としては、貴金属である金、白金、銀、銅、ステンレス、および窒化チタンが適当である。
【００１９】
【実施例】
以下、本発明の実施例について、図面を参照しながら説明する。
【００２０】
（実施例１）
図１は実施例１における冷凍冷蔵庫を示すものである。
【００２１】
図に示すように、冷蔵室１、野菜室２、冷凍室３で構成される冷凍冷蔵庫４において、冷蔵室１、野菜室２、冷凍室３の内部には、それぞれ庫内空気を循環する通風手段５と、この通風手段５よりの庫内空気７が通過するマイナス粒子発生装置６とを備えている。すなわち、通風手段５によって庫内空気７がマイナス粒子発生装置６を通過することにより、マイナス粒子を含む空気となり吹出口８より庫内に放出されるものである。
【００２２】
図２はマイナス粒子発生装置６を示しており、光電子発生材１１と、これに紫外線を照射する光源１２とを有する。光電子発生材１１は容器１４の内部に設置され、この光電子発生材１１には電気的な接地１３が取り付けられている。光源１２からの紫外線によって光電子発生材１１からは光電子が発生し、庫内空気７に含まれる水や酸素等の分子または埃等の微粒子が、流入口１５から入り光電子発生材１１の表面を通り、光電子が捕獲されてマイナス粒子として吹出口８から装置外、すなわち庫内に放出される。
【００２３】
本実施例では、前記光電子発生材１１は、金、白金、銀、銅、ステンレス、窒化チタンの中から選ばれた１種類以上であるものを使用している。これらの光電子発生材１１は仕事関数が小さく、紫外線を照射したときに金属表面から効率よく光電子が発生するため、マイナス粒子を効率よく発生させるのに適している。
【００２４】
また本実施例では、電気的な接地１３を光電子発生材１１に取り付けている。光電効果により光電子が放出された光電子発生材１１は、光電子の放出箇所に正孔ができ、光電子と正孔との間に電気的引力が働き、発生した光電子が光電子発生材１１に吸着される。そこで光電子発生材１１を電気的に接地１３することにより、正孔には電子が補充され、放出された光電子が正孔に戻ることがないので、マイナス粒子を減少させることなく発生させるのに適している。
【００２５】
以下、本実施例の効果について実験例を用いて説明する。
【００２６】
容器１４として内径３ｃｍ、長さ７ｃｍのステンレス製円筒状容器を用い、光電子発生材１１として厚さ０．１ｍｍの金を用いた。また、光源１２として３Ｗの紫外線殺菌ランプを用いた。
【００２７】
光電子発生材１１に電気的な接地１３を取り付けて、冷凍冷蔵庫の性能を評価するための実験を行った。光源１２の紫外線殺菌ランプを点灯し、マイナス粒子を発生させた。測定は吹出口８から１ｃｍの庫内で行い、装置作動後から２分毎に１０分間、単位体積当たりのマイナス粒子の数をイオンテスターで測定した。また、庫内に発生するオゾン濃度を測定するために、オゾン濃度計を利用した。
【００２８】
さらに、従来例としてマイナス粒子発生の手段として電気的放電方式を利用した冷凍冷蔵庫を用い、前記と同様の試験を行いマイナス粒子の数とオゾン濃度を測定した。これらの試験結果をまとめてマイナス粒子の数は図３に、またオゾン濃度は（表１）に示す。
【００２９】
【表１】
2004069171.tif 000003
この実験の結果から明らかなように、本実施例の冷凍冷蔵庫によれば、常に安定してマイナス粒子が存在し、オゾンは全く検知されなかった。従来例では、マイナス粒子は存在するが、同時にオゾンを発生することがわかった。つまり、このことから、本実施例ではオゾンを全く発生させずに、マイナス粒子を減少させることなく、常に冷凍冷蔵庫内のマイナス粒子数の増加を実現することができた。
【００３０】
（実施例２）
図４は実施例２における冷凍冷蔵庫を示すものである。
【００３１】
図に示すように、冷蔵室２１、野菜室２２、冷凍室２３で構成される冷凍冷蔵庫２４において、冷蔵室２１、野菜室２２、冷凍室２３に送風される冷気通風路２５内部にマイナス粒子発生装置２６を一つ設置している。冷却手段２７で冷却された空気は、通風手段２８によって通風路２５を通ってマイナス粒子発生装置２６に入り、マイナス粒子を含む空気が各室２１〜２３の各吹出口２９より庫内に放出されるようになっている。
【００３２】
本実施例におけるマイナス粒子発生装置２６は実施例１で用いた装置と同じである。
【００３３】
以下、本実施例の効果について実験例を用いて説明する。
【００３４】
実施例１と同様、光電子発生材１１に電気的な接地１３を取り付けて、冷凍冷蔵庫の性能を評価するための実験を行った。光源１２の紫外線殺菌ランプを点灯し、マイナス粒子を発生させた。測定は吹出口８から１ｃｍの庫内で行い、装置作動後から２分毎に１０分間、単位体積当たりのマイナス粒子の数をイオンテスターで測定した。試験結果を図５に示す。
【００３５】
図５の結果から明らかなように、本実施例の冷凍冷蔵庫によれば、常に安定してマイナス粒子が存在することがわかった。つまり、このことから、マイナス粒子を減少させることなく、常に冷凍冷蔵庫内のマイナス粒子数の増加を実現することができた。
【００３６】
（実施例３）
図６は実施例３における冷凍冷蔵庫のマイナス粒子発生装置を示したものである。
【００３７】
図に示すように、通風手段５とマイナス粒子発生装置６の光電子発生材１１の間に、空気の導入部３１を設けて通風手段５からの空気を光電子発生材１１へ案内した以外は実施例１と同じである。
【００３８】
以下、本実施例の効果について実験例を用いて説明する。
【００３９】
実施例１と同様、容器１４として内径３ｃｍ、長さ７ｃｍのステンレス製円筒状容器を用い、光電子発生材１１として厚さ０．１ｍｍの金を用いた。また、光源１２として３Ｗの紫外線殺菌ランプを用いた。
【００４０】
光電子発生材１１に電気的な接地１３を取り付けて、冷凍冷蔵庫の性能を評価するための実験を行った。光源１２の紫外線殺菌ランプを点灯し、マイナス粒子を発生させた。測定は吹出口８から１ｃｍの庫内で行い、装置作動後から２分毎に１０分間、単位体積当たりのマイナス粒子の数をイオンテスターで測定した。試験結果を図７に示す。
【００４１】
図７の結果から明らかなように、本実施例の冷凍冷蔵庫によれば、常に安定して多くのマイナス粒子が存在することがわかった。このことから、空気の導入部３１を設けることで流量は減少するが、光電子発生材１１に直接冷却された空気が当たるため、光電子の発生する効率が上がり、マイナス粒子の発生がより一層多くなることで、常に一定に庫内へのマイナス粒子の供給を実現することができた。
【００４２】
（実施例４）
図８は実施例４における冷凍冷蔵庫のマイナス粒子発生装置を示したものである。
【００４３】
図に示すように、光電子発生材１１と電気的な接地１３の間の接地回路に電流計４１が設置されている以外は実施例１と同じである。
【００４４】
光電効果により光電子が放出された光電子発生材１１は、光電子の放出箇所に正孔ができ、光電子発生材１１を電気的に接地１３することにより、正孔には電子が補充されるため、光電子発生材１１と電気的な接地の間には微少な電流が流れる。この微少電流と、放出されたマイナス粒子の数には相関が見られるため、微少な電流を電流計４１で測定することで放出されたマイナス粒子の数が測定できる。
【００４５】
以下、本実施例の効果について実験例を用いて説明する。
【００４６】
実施例１と同様、容器１４として内径３ｃｍ、長さ７ｃｍのステンレス製円筒状容器を用い、光電子発生材１１として厚さ０．１ｍｍの金を用い、また、光源１２として３Ｗの紫外線殺菌ランプを用いた。
【００４７】
光電子発生材１１に電気的な接地１３を取り付けて、さらに光電子発生材１１と電気的な接地１３の間の接地回路に流れる電流を測定するための電流計４１を取り付け、冷凍冷蔵庫の性能を評価するための実験を行った。光源１２の紫外線殺菌ランプを点灯し、マイナス粒子を発生させた。マイナス粒子の測定は吹出口８から１ｃｍの庫内で行い、単位体積当たりのマイナス粒子の数をイオンテスターで測定し、電流計４１に流れる電流値と発生するマイナス粒子数の関係を得た。試験結果を図９に示す。
【００４８】
図９の結果から明らかなように、本実施例の冷凍冷蔵庫によれば、接地回路に流れる電流を測定することで、装置から発生するマイナス粒子の数がわかる。このことから、本実施例は発生するマイナス粒子の数を簡単に見積もることができる冷凍冷蔵庫を実現することができた。
【００４９】
（実施例５）
図１０は本発明の実施例５における冷凍冷蔵庫のマイナス粒子量の調整状態を示したものである。
【００５０】
図に示すような、「接地状態」「絶縁状態」は、光電子発生材１１の電気的接地状態と絶縁状態が切り替え可能な回路により、光電子発生材１１の電気的接地状態と絶縁状態を制御することにより、容易に得ることができるものであり、発生するマイナス粒子量が調整できる。マイナス粒子発生装置としては、実施例４と同様なものである。
【００５１】
以下、本実施例の効果について実験例を用いて説明する。
【００５２】
実施例１と同様、容器１４として内径３ｃｍ、長さ７ｃｍのステンレス製円筒状容器を用い、光電子発生材１１として厚さ０．１ｍｍの金を用いた。また、光源１２として３Ｗの紫外線殺菌ランプを用いた。
【００５３】
光電子発生材１１に電気的な接地１３を取り付けて、光電子発生材１１と電気的な接地１３の間の接地回路に流れる電流を測定するための電流計４１を取り付け、冷凍冷蔵庫の性能を評価するための実験を行った。電気的接地状態にして光源１２の紫外線殺菌ランプを点灯し、装置からマイナス粒子を発生させ、冷蔵室内のマイナス粒子数を測定した。装置作動後から３０分後に電気的絶縁状態にして、さらに３０分後に再び電気的接地状態にして、これらを繰り返した。経過時間毎に冷蔵室内の単位体積当たりのマイナス粒子数をイオンテスターで測定した。その測定結果は図１０に示したとおりである。
【００５４】
図１０の結果から明らかなように、本実施例の冷凍冷蔵庫によれば、庫内のマイナス粒子数を極端に増加させることもなく、単位体積当たりに１０００個から２５００個で安定に調整することができる。このことから、本実施例はマイナス粒子の数を一定の範囲内で調整できる冷凍冷蔵庫を実現することができた。
【００５５】
（実施例６）
図１１は実施例６における冷凍冷蔵庫のマイナス粒子発生装置を示したものである。
【００５６】
図に示すように、光電子発生材５１が導電性基材５２の表面に担持されている以外は実施例１と同じである。
【００５７】
本実施例では、前記光電子発生材５１は、金、白金、銀、銅、ステンレス、窒化チタンの中から選ばれた１種類以上であるものを使用している。これらの光電子発生材５１は仕事関数が小さく、紫外線を照射したときに金属表面から効率よく光電子が発生するため、マイナス粒子を効率よく発生させるのに適している。
【００５８】
また本実施例では、前記導電性基材５２は、銅、アルミニウム、ステンレス、真鍮の中から選ばれた１種類以上であるものを使用している。これらの導電性基材５２は電気抵抗が小さく、光電子発生材５１を電気的に接地して光電子発生材５１から光電子が抜け出た跡である正孔を速やかに電気的に中和するのに適している。
【００５９】
また本実施例では、電気的な接地１３を導電性基材５２に取り付けている。光電効果により光電子が放出された光電子発生材５１は、光電子の放出箇所に正孔ができ、光電子と正孔との間に電気的引力が働き、発生した光電子が光電子発生材５１に吸着される。そこで光電子発生材５１を担持した導電性基材５２を電気的に接地１３することにより、正孔には電子が補充され、放出された光電子が正孔に戻ることがないので、マイナス粒子を減少させることなく発生させるのに適している。
【００６０】
以下に、本実施例の効果を検証する実験の結果について報告する。
【００６１】
第１の実験は、導電性基材５２として厚さ０．１ｍｍのステンレスを用い、これに光電子発生材５１として金メッキを行った。また、光源１２として３Ｗの紫外線殺菌ランプを用いた。
【００６２】
導電性基材５２に電気的な接地１３を取り付けたマイナス粒子発生装置６を組み込んだ、冷凍冷蔵庫から発生するマイナス粒子を評価するための実験を行った。光源１２の紫外線殺菌ランプを点灯し、マイナス粒子を発生させた。測定は吹出口８から１ｃｍの位置で行い、装置作動後から２分毎に１０分間、単位体積当たりのマイナス粒子の数をイオンテスターで測定した。試験結果を図１２に示す。
【００６３】
図１２の結果から明らかなように、本実施例の冷凍冷蔵庫を用いれば、常に安定したマイナス粒子の発生が見られ、庫内のマイナス粒子を増加させることができた。このことから、本実施例はマイナス粒子の発生を減少させることなく、常に一定に庫内へのマイナス粒子の供給を実現することができた。
【００６４】
第２の実験は、導電性基材５２として、銅、アルミニウム、ステンレス、真鍮からなるマイナス粒子発生装置８を組み込んだ冷凍冷蔵庫を用いて、第１の実験と同様の方法で、マイナス粒子の測定を行った。なお、測定は吹出口８から１ｃｍの位置で行い、装置作動後２分後に単位体積当たりのマイナス粒子の数をイオンテスターで測定した。測定結果を（表２）に示す。
【００６５】
【表２】
2004069171.tif 000004
この実験の結果、本実施例の冷凍冷蔵庫によれば、導電性基材５２として、銅、アルミニウム、ステンレス、真鍮を用いれば、多くのマイナス粒子が発生することが判明した。その中でも特に銅を用いた場合に大量のマイナス粒子が発生することがわかった。
【００６６】
第３の実験は、光電子発生材５１として、金、白金、銀、銅、ステンレス、窒化チタンからなるマイナス粒子発生装置６を組み込んだ冷凍冷蔵庫を用いて、第１の実験と同様の方法で、マイナス粒子の測定を行った。なお、測定は吹出口８から１ｃｍの位置で行い、装置作動後２分後に単位体積当たりのマイナス粒子の数をイオンテスターで測定した。測定結果を（表３）に示す。
【００６７】
【表３】
2004069171.tif 000005
この実験の結果、本実施例の冷凍冷蔵庫を用いて、光電子発生材５１として、金、白金、銀、銅、ステンレス、窒化チタンを用いれば、多くのマイナス粒子が発生することが判明した。その中でも特に金、白金を用いた場合に大量のマイナス粒子が発生することがわかった。
【００６８】
なお、上記した実施例１〜６においては、マイナス粒子発生装置の筐体としての限定は全くない。つまり筐体は、形状、大きさ、厚さ、種類が限定されるものではなく、冷凍冷蔵庫内部に適用できる形状や、大きさや、厚さや、種類であれば、どのようなものでも構わない。
【００６９】
また、実施例６では、導電性基材５２として厚さ０．１ｍｍのステンレスを用いたが、厚さ、種類は限定されるものではなく、導電性であり、なおかつ光電子発生材５１が担持できれば、どのようなものでも構わない。
【００７０】
さらに、冷凍冷蔵庫としては、家庭用の他、業務用、特定空間用などの他の冷凍冷蔵庫にも応用可能であり、かつ冷凍冷蔵庫としているが、冷蔵機能単独や冷凍機能単独の冷蔵庫や冷凍庫をも含んでいることは言うまでもない。
【００７１】
【発明の効果】
以上のように本発明の冷凍冷蔵庫によれば、通風手段よりの庫内空気が通過するマイナス粒子発生装置を、光電子発生材と、これに紫外線を照射する光源とを有するものとした。そのため、マイナス粒子発生装置内の光電子発生材に紫外線を照射することで、光電効果が起こることにより光電子が発生する。一方、庫内空気は通風手段によりマイナス粒子発生装置に入り、庫内空気中の分子や微粒子が、光電子を捕獲することによりマイナス粒子となり、再び庫内に放出される。したがって、オゾンを生成させず安全にマイナス粒子を庫内空気に付加することが、庫内の新鮮度を増大させる効果を得ることができる。
【図面の簡単な説明】
【図１】本発明の実施例１における冷凍冷蔵庫を示す要部断面図
【図２】同冷凍冷蔵庫のマイナス粒子発生装置を示す要部断面図
【図３】同冷凍冷蔵庫と従来例のマイナス粒子発生量を示すグラフ
【図４】本発明の実施例２における冷凍冷蔵庫を示す要部断面図
【図５】同冷凍冷蔵庫のマイナス粒子発生量を示すグラフ
【図６】本発明の実施例３における冷凍冷蔵庫のマイナス粒子発生装置を示す要部断面図
【図７】同冷凍冷蔵庫のマイナス粒子発生量を示すグラフ
【図８】本発明の実施例４における冷凍冷蔵庫のマイナス粒子発生装置を示す要部断面図
【図９】同マイナス粒子発生装置における電流値とマイナス粒子発生量の関係を示すグラフ
【図１０】本発明の実施例５における冷凍冷蔵庫のマイナス粒子発生装置のマイナス粒子量を示すグラフ
【図１１】本発明の実施例６における冷凍冷蔵庫のマイナス粒子発生装置を示す要部断面図
【図１２】同マイナス粒子発生装置のマイナス粒子量を示すグラフ
【図１３】従来の冷凍冷蔵庫におけるマイナス粒子発生装置を示す概略構成図
【符号の説明】
１、２１　冷蔵室
２、２２　野菜室
３、２３　冷凍室
４、２４　冷凍冷蔵庫
５、２８　通風手段
６、２６　マイナス粒子発生装置
７　庫内空気
１１、５１　光電子発生材
１２　光源
１３　電気的な接地
１４　容器
２５　冷気通風路
２７　冷却手段
３１　空気の導入部
４１　電流計
５２　導電性基材
【図１】
2004069171.tif 000006
【図２】
2004069171.tif 000007
【図３】
2004069171.tif 000008
【図４】
2004069171.tif 000009
【図５】
2004069171.tif 000010
【図６】
2004069171.tif 000011
【図７】
2004069171.tif 000012
【図８】
2004069171.tif 000013
【図９】
2004069171.tif 000014
【図１０】
2004069171.tif 000015
【図１１】
2004069171.tif 000016
【図１２】
2004069171.tif 000017
【図１３】
2004069171.tif 000018